(57)【特許請求の範囲】
【請求項１】
吹き抜け部に臨む状態で上下階を仕切るスラブ部の前記吹き抜け部側端部に、手摺壁本体を取り付けてある手摺壁取付構造であって、
手摺壁本体の下端部に、下階に対する防煙垂れ壁部を一体的に設け、前記手摺壁本体と前記スラブ部との隙間に、耐火性シーリング材を介在させて前記隙間の閉塞を図ってある手摺壁取付構造。
【請求項２】
前記隙間を挟んだ上下に、前記手摺壁本体の被取付部を各別に配置してある請求項１記載の手摺壁取付構造。
【請求項３】
前記手摺壁本体が、板ガラスである請求項１又は２記載の手摺壁取付構造。
【発明の詳細な説明】
【０００１】
【発明の属する技術分野】
本発明は、吹き抜け部に臨む状態で上下階を仕切るスラブ部の前記吹き抜け部側端部に、手摺壁本体を取り付けてある手摺壁取付構造に関する。
【０００２】
【従来の技術】
従来、この種の手摺壁取付構造としては、図４に示すように、前記スラブ部１に手摺専用の取付具を使用して手摺壁本体４０を取り付けてあるものがあった（例えば、特開平６−５４９１８号公報参照）。
【０００３】
【発明が解決しようとする課題】
上述した従来の手摺壁取付構造によれば、例えば、吹き抜け部Ｖに臨む下階に対する防煙垂れ壁４１を設ける場合には、前記手摺壁本体４０とは別に、防煙垂れ壁専用の取付具を用いて前記スラブ部１に固定する構造をとる必要があり、複数の工程（手摺壁取付工程や防煙垂れ壁取付工程）の実施によって手間がかかり易いという問題がある。また、手摺壁、及び、防煙垂れ壁が分離された状態で吹き抜け部側に露出することになり、意匠的に煩雑になり、見栄えが悪くなり易いという問題もある。
【０００４】
従って、本発明の目的は、上記問題点を解消し、防煙垂れ壁を合わせて設置する場合に、効率よく取付作業を実施でき、且つ、当該取付箇所の意匠性を向上させることができる手摺壁取付構造を提供するところにある。
【０００５】
【課題を解決するための手段】
〔構成〕
請求項１の発明の特徴構成は、図１，図２に例示するごとく、吹き抜け部Ｖに臨む状態で上下階を仕切るスラブ部１の前記吹き抜け部側端部に、手摺壁本体４を取り付けてある手摺壁取付構造において、手摺壁本体４の下端部に、下階に対する防煙垂れ壁部４ｂを一体的に設け、前記手摺壁本体４と前記スラブ部１との隙間Ｓに、耐火性シーリング材９を介在させて前記隙間Ｓの閉塞を図ってあるところにある。
【０００６】
【０００７】
請求項２の発明の特徴構成は、図２に例示するごとく、前記隙間Ｓを挟んだ上下に、前記手摺壁本体４の被取付部４ｃを各別に配置してあるところにある。
【０００８】
請求項３の発明の特徴構成は、図１に例示するごとく、前記手摺壁本体４が、板ガラスであるところにある。
【０００９】
尚、上述のように、図面との対照を便利にするために符号を記したが、該記入により本発明は添付図面の構成に限定されるものではない。
【００１０】
〔作用及び効果〕
請求項１の発明の特徴構成によれば、手摺壁本体の下端部に、下階に対する防煙垂れ壁部を一体的に設けてあるから、手摺壁と防煙垂れ壁とを一度の手間で所定位置に取り付けることができ、取付手間を削減して、効率よく設置作業を実施することが可能となる。また、手摺壁と防煙垂れ壁との取付具の数を従来より減らすことが可能となり、材料コスト並びに取付作業コストの低減を図ることができる。
更には、前記手摺壁と防煙垂れ壁とは、一体的に構成してあるから、スッキリとした納まりに設置することができ、意匠性を向上させることも可能となる。
また、前記手摺壁本体と前記スラブ部との隙間に、耐火性シーリング材を介在させて前記隙間の閉塞を図ってあるから、スラブ部の階下で例えば火災が起こって発煙した場合でも、防煙垂れ壁でせき止められた煙が、手摺壁本体とスラブ部との隙間から上階へ漏れ出るのを前記耐火性シーリング材によって防止することができ、防煙垂れ壁としての機能を確実に発揮することが可能となる。
【００１１】
【００１２】
請求項２の発明の特徴構成によれば、前記隙間を挟んだ上下に、前記手摺壁本体の被取付部を各別に配置してあるから、スラブ部の上下に各別に被取付部を設けることになり、前記手摺壁本体を安定的に取り付けできる最小の被取付部の数で、支持することが可能となる。具体的には、上下の二列（手摺壁で一列、防煙垂れ壁で一列）で、安定的に手摺壁本体を固定することが可能となり、最小の取り付け手間、最小の取付具個数によって取付作業ができ、材料コスト並びに取付作業コストの低減をさらに推し進めることができる。
【００１３】
請求項３の発明の特徴構成によれば、前記手摺壁本体が、板ガラスであるから、透明ガラスの他、網入りガラスや、色付きガラス・磨りガラス等、建物の用途や、吹き抜け部の景観等にマッチしやすい板ガラスを、手摺壁本体として自由に設置することが可能となり、より意匠性を向上させることが可能となる。
【００１４】
【発明の実施の形態】
以下に本発明の実施の形態を図面に基づいて説明する。尚、図面において従来例と同一の符号で表示した部分は、同一又は相当の部分を示している。
【００１５】
図１は、本発明の手摺壁取付構造の一例を採用した建物Ｂの要部を示すもので、建物Ｂは、複数階の構成で、各フロアーを貫通する状態に吹き抜け部Ｖを形成してある。
【００１６】
各フロアーのスラブ部１は、図に示すように、Ｈ形鋼の梁部材１ａと、その梁部材１ａ上に設けられた床板部１ｂとから構成してある。
【００１７】
そして、吹き抜け部Ｖに臨む状態で上下階を仕切るスラブ部１の前記吹き抜け部側の端部には、図１・２・３に示すように、支持フレーム２及び取付金具３を介して板ガラスからなる手摺壁本体４を取り付けてある。
【００１８】
前記支持フレーム２としては、床板部１ｂに下端を埋設された手摺兼用フレーム２Ａと、前記梁部材１ａに基端部を溶接で固定してある下方支持フレーム２Ｂとがあり、前記手摺壁本体４は、これら両フレーム２Ａ・２Ｂに各別に取り付けられた前記取付金具３によって取付固定してある。
前記手摺兼用フレーム２Ａは、所定の間隔に立設してある複数の手摺子部（てすりこぶ）５と、各手摺子５にわたって設けられた繋ぎ部６と、各手摺子部５の上端部にわたって設けられた架木部（ほこぎぶ）７とを一体化して構成してある。そして、前記手摺子部５が、スラブ部１に埋設してあると共に、前記繋ぎ部６には、前記取付金具３が所定間隔で取り付けてある。また、手摺子部５及び繋ぎ部６は金属で構成してあり、一方、人の手が当接する架木部７は、木製にして優しい感触をもたせてあると共に、前記吹き抜け空間とは反対方向側に張り出す状態に取り付けて人が寄り掛かり易いように構成してある。
前記下方支持フレーム２Ｂは、金属製の角筒材で構成してあり、先端部が吹き抜け部側に向く状態に配置され、基端部を前記梁部材１ａに溶接で取り付けてある。また、先端部には、一対の取付金具３を固定する金具固定板８を一体的に設けてある。
【００１９】
前記手摺壁本体４は、強化ガラスで構成し、表面に飛散防止フィルムを貼って構成してある。そして、各手摺壁本体４は、目地部Ｍを介して並設してある。前記床板部１ｂより上に位置する部分が、手摺壁部４ａになり、下に位置する部分が、下階に対する防煙垂れ壁部４ｂになる。また、前記繋ぎ部６及び金具固定板８に取り付けられた取付金具３に対応する箇所には、取付金具の取付ボルト３ａを挿通自在な貫通孔（被取付部に相当する）４ｃを形成してある（図２参照）。そして、支持フレーム２への取り付けは、前記貫通孔４ｃに、前記取付ボルト３ａを挿通させて、そのボルト拡径頭部と、取付ボルト３ａが螺合する取付金具の金具本体３ｂとで挟む状態に取付固定されている。
また、目地部Ｍの内、防煙垂れ壁部４ｂに位置する第二目地部Ｍ２には、シリコン系シール材を充填してある。一方、手摺壁部４ａに位置する第一目地部Ｍ１は、隙間をあけたままで、なにも充填はしていない。
【００２０】
因に、取付金具３は、上述のように、取付ボルト３ａと、その取付ボルト３ａが螺合自在な金具本体３ｂとで構成してあり、金具本体３ｂの基端部が、前記繋ぎ部６や、金具固定板８に溶接で固定してある。
【００２１】
また、前記床板部１ｂと手摺壁本体４との隙間Ｓには、耐火性シーリング材（例えば、シリコンスポンジ製）９を介在させて隙間閉塞を図ってある。この耐火性シーリング材は、吹き抜け部Ｖ側から板ガラスを通して見えるから、バックのスラブ部１の色（本実施形態では、黒色系）と同系色のものを使用することで目立ち難くなり、意匠性の向上を図ることが可能となる。本実施形態においては、黒色系のものを使用している。尚、図に示すように、耐火性シーリング材９は、前記隙間Ｓで耐火性シーリング材９を受け止めるべく床板部１ｂの端部に形成した受止部１０上に載置する状態に設けてある。従って、下階で発生した煙が、前記防煙垂れ壁部４ｂでせき止められた際に、前記隙間Ｓを通して上階へ漏れ出るのを確実に防止することが可能となる。
【００２２】
このように、本実施形態の手摺壁取付構造によれば、横一列に設置した手摺壁本体４によって、手摺壁はもとより防煙垂れ壁を構成することができ、意匠性の向上のみならず、取付手間の軽減を図ることが可能となる。
【００２３】
〔別実施形態〕
以下に他の実施の形態を説明する。
【００２４】
〈１〉  前記スラブ部１は、先の実施形態で説明したようにＨ形鋼の梁部材１ａと床板部１ｂとからなる構造のものに限るものではなく、一般的に実施される鉄筋コンクリート造や鉄骨鉄筋コンクリート造によるスラブ構造を採用することも可能である。また、支持フレーム２の形状変更も可能である。
〈２〉  前記手摺壁本体４は、先の実施形態で説明した板ガラスに限るものではなく、例えば、天然石の化粧パネルや、木質化粧パネル等を用いて構成することも可能である。
〈３〉  前記被取付部は、先の実施形態で説明した貫通孔に限るものではなく、種々の構成をとることが可能で、例えば、端縁部分を挟持固定する取付金具を用意して、その取付金具で取り付けできるように構成することも可能である。また、手摺壁本体に直接的に被取付部を設けるのではなく、手摺壁本体を支持する枠体を設け、その枠体に被取付部を設けるものであってもよい。
〈４〉  前記耐火シーリング材は、先の実施形態で説明したシリコンスポンジに限るものではなく、例えば、耐火パテであってもよい。
【図面の簡単な説明】
【図１】実施形態の建物を示す要部斜視図
【図２】手摺壁取付状況を示す断面図
【図３】手摺壁取付状況を示す正面図
【図４】従来の手摺壁取付状況を示す断面図
【符号の説明】
１    スラブ部
４    手摺壁本体
４ｂ  防煙垂れ壁部
４ｃ  被取付部
９    耐火性シーリング材
Ｓ    隙間
Ｖ    吹き抜け部
【図１】
0003573582.tif 000002
【図２】
0003573582.tif 000003
【図３】
0003573582.tif 000004
【図４】
0003573582.tif 000005